(57)【要約】【課題】機械的な磨耗による異質物等が含まれることがない衛生的で人体に安全な製氷機の氷搬出口開閉装置を提供する。【解決手段】氷搬出口102を有する貯氷筒100、氷搬出口からＸ軸方向に水平移動したＹ軸方向の所定位置に配置され、連結軸116を有するプランジャロッド112を備えたソレノイド110、連結軸からＹ軸方向に遊動自在に連結される作動レバー150、ソレノイドの下方位置から氷搬出口が開口するＸ軸方向に亘り配置される回動軸140、ソレノイド下方の回動軸に一端が固定され、他端は作動レバーに軸支されてＹ軸方向に配置されるアーム部材160、ソレノイドの下方でアーム部材と作動レバーをＸ軸方向に連結する軸ピン170、Ｙ軸方向でＸ軸方向に所定距離隔てられた回動軸に固定的に装着される開閉扉120、開閉扉に閉方向の弾性復元力を付勢する弾性部材190を含み、ソレノイドが配置されたＹ軸線上からＸ軸方向の所定距離隔てられた位置において開閉扉による氷搬出口の開閉が行われるようにした。【選択図】図１
2006057983.tif 000002
【特許請求の範囲】
【請求項１】
製氷機の氷搬出口開閉装置において、
下部所定位置に氷搬出口（102）を形成した貯氷筒（100）と、
前記氷搬出口（102）からＸ軸方向に所定距離水平移動したＹ軸線上の所定位置において前後往復動するように配置され、先端に連結軸（116）に備えるプランジャロッド（112）を有するソレノイド（110）と、
一端に軸孔（152）を穿設し、他端には長孔（151）を穿設して前記連結軸（116）からＹ軸方向に遊動自在に貫通連結される作動レバー（150）と、
前記ソレノイド（110）の下方位置から前記氷搬出口（102）が開口するＸ軸方向に渡り水平に配置されて両端が軸支される回動軸（140）と、
前記ソレノイド（110）の下方に位置する前記回動軸（140）に一端が固定され、他端は前記作動レバー（150）に軸支されてＹ軸方向に配置されるアーム部材（160）と、
前記ソレノイド（110）の下方で前記アーム部材（160）と前記作動レバー（150）をＸ軸方向に連結する軸ピン（170）と、
前記氷搬出口（102）を開閉するためにソレノイド（110）が配置されたＹ軸方向でＸ軸方向に所定距離隔てられた位置の前記回動軸（140）に固定されて装着される開閉扉（120）と、
前記開閉扉（120）に閉方向の弾性復元力を付勢するために、前記ソレノイド（110）の下方部分の回動軸（140）に巻装配置される弾性部材（190）とを含み、
前記ソレノイド（110）が配置されたＹ軸線上からＸ軸方向の所定距離隔てられた位置に開閉扉（120）が装着されて氷搬出口の開閉が行われるようにしていることを特徴とする製氷機の氷搬出口開閉装置。
【請求項２】
請求項１記載のソレノイド（110）の下部から直上方に浮かして水平に配置される固定軸（131）が係止・解除されるように係止凹欠溝（181）を一端に形成し、他端は作動レバー（150）のように軸ピン（170）に連結されて、該作動レバー（150）の後退距離を制限するストッパー（180）を更に備えていることを特徴とする製氷機の氷搬出口開閉装置。
【請求項３】
請求項１記載のプランジャロッド（112）の両端に水平方向に両側に突出した接触ロール（111）を形成し、この接触ロール（111）のＹ軸方向往復動を案内するためにガイド縁部（132）を両側に設けた固定部材（130）を更に備えて、前記接触ロール（111）がガイド縁部（132）を介して往復接触するようにしたことを特徴とする製氷機の氷搬出口開閉装置。
【請求項４】
請求項１〜請求項３何れか１項に記載のソレノイド（110）、作動レバー（150）、回動軸（140）、アーム部材（160）、軸ピン（170）、弾性部材（190）からなる開閉構造の上方に異質物の落下を遮断するための第１の蓋部材（200）を更に備えていることを特徴とする製氷機の氷搬出口開閉装置。
【請求項５】
請求項１〜請求項３何れか１項に記載の氷搬出口（102）の位置に固定されて、開閉扉（120）の直上方に支持板（101）の締結ボルト等の分離落下を防止する第２の蓋部材（210）を更に備えていることを特徴とする製氷機の氷搬出口開閉装置。
【発明の詳細な説明】
【技術分野】
【０００１】
本発明は、製氷機用搬出口開閉装置に関し、詳しくは作動中に発生するワッシャー屑、微細鉄粉、部品の折れ欠け屑等の異質物が、貯氷筒の氷搬出口から搬出される氷中に含まれることを防止した製氷機用搬出口開閉装置に関する。
【背景技術】
【０００２】
一般に、製氷機に配置されている氷搬出機10は、図８及び図９に示すように、氷チップ１が保管貯えられる貯氷筒11と、氷チップ１を利用者の選択により氷搬出口13を通して搬出させるために貯氷筒11内の氷チップ１が互いにくっつかないように駆動モータ14により回転される傘骨状の攪拌部材12とからなる。
【０００３】
このような氷搬出機10には貯氷筒11の氷搬出口13を開閉する開閉装置が取り付けられており、この開閉装置は、図８及び図９に示すように、利用者の選択ボタン操作により印加（通電）される電源より作動するソレノイド16と、このソレノイド16にロッド17を介して連結される押し部材18と、この押し部材18に取り付けられて貯氷筒11に形成された氷搬出口13を開閉する緩衝ゴム板19とからなり、前記ソレノイド16は氷搬出口13の側方部位に支持機構15を介して配置されている。
而して、ソレノイド16の作動により、ロッド17を介して連結する押し部材18を回動させることによって、氷搬出口13の開閉を行う緩衝ゴム板19を回動させるようにしている。
【０００４】
また、他の氷搬出口開閉装置としては、図10に示すものが開示されている（特許文献１）。
この氷搬出口開閉装置は、貯氷筒の所定部位に形成された氷搬出口上に配置され、利用者の選択ボタン操作により印加される電源により、ソレノイド16が作動することによって開閉扉が回転することで、氷搬出口が開き、貯氷筒に貯えられている氷が搬出されるようになっている構造であって、氷搬出機は前述の図８及び図９と殆んど同じである。
【０００５】
この氷搬出口開閉装置は、氷搬出口13を開閉するための蓋部材20がヒンジ結合されるにおいて蓋部材20を取り囲むと共にスライド移動自在に移動板30が支持されており、この移動板30は移動ロッド31を介して往復動するソレノイド16と連結されている。
前記蓋部材20は、前記移動板30が前記ソレノイド16により一側に移動する時には氷搬出口を開放し、他側に移動する時には前記移動板30によって復元回動されて氷搬出口を閉鎖するように配置されている。
【０００６】
また、移動板30は、その両側にコイルスプリング32を弾設して復元力を付勢しており、その内側には蓋部材20の回転と復元のためのスプリング23によって巻着された回動軸21が取り付けられている。
【０００７】
このような構造の氷搬出機は、利用者が氷を搬出するために選択ボタンを押すと、駆動モータに電源が印加されて該駆動モータの動力によって攪拌部材が一方向に回転することにより、前記貯氷筒11内に貯えられている氷チップ１は前記攪拌部材の回転力により氷搬出口13を圧迫することになる。
【０００８】
また、氷搬出口開閉装置のソレノイド16に電源が印加されて、該ソレノイド16は印加された電源がオフ（ＯＦＦ）になるまで継続的に作動する。この時、ソレノイド16の作動により移動ロッド31を介してソレノイド16と連結した移動板30が引き寄せられ、該移動板30の両側面に形成されたスロット（図示せず）によりガイドされながら滑り移動し、同時に第２ソレノイド（図示せず）のプランジャロッドが伸縮作動されて前記蓋部材20の回動阻止状態を解除させて氷搬出口13を開放するようになる。
【０００９】
しかし乍ら、この様な従来の氷搬出機の氷搬出口開閉装置は、ソレノイドを始めとする移動ロッドと、これらを作動させるための各種の付属構造（付属部品）は氷搬出口の直上方に位置しているので、これらの付属構造の長期的な反復しようにより機械的磨耗が発生し、この様な機械的磨耗によって発生する微細な鉄粉、合成樹脂部品の接触異質物、部品の折れ欠けた屑が氷チップの搬出作動と同時に落ちてきて一緒に搬出される氷中に含まれると言う非衛生的な問題があった。
【００１０】
この様な問題点は単に異質物が氷に含まれるに止まらず、飲料水に入れられた状態で一緒に試飲するようになることから、人体的に吸収される危険性があり、金属部品の屑によって歯を損傷するなどの不具合を引き起こすことにもなる。
【特許文献１】韓国特許公開公報第１０−２００１−３７９２５号
【発明の開示】
【発明が解決しようとする課題】
【００１１】
本発明が解決しようとする課題は、従来の氷搬出口開閉装置が抱える問題点を抜本的に改善して、氷チップの排出時に機械的な磨耗による異質物が含まれることがない衛生的で人体に安全な製氷機の氷搬出口開閉装置を提供することにある。
【課題を解決するための手段】
【００１２】
上記課題を解決するために本発明は、請求項１では、製氷機の氷搬出口開閉装置において、
下部所定位置に氷搬出口を形成した貯氷筒と、前記氷搬出口からＸ軸方向に所定距離水平移動したＹ軸線上の所定位置において前後往復動するように配置され、先端に連結軸を有するプランジャロッドを備えたソレノイドと、一端に軸孔を穿設し、他端には長孔を穿設して前記連結軸からＹ軸方向に遊動自在に貫通連結される作動レバーと、前記ソレノイドの下方位置から前記氷搬出口が開口するＸ軸方向に亘り水平に配置されて両端が軸支される回動軸と、前記ソレノイドの下方に位置する前記回動軸に一端が固定され、他端は前記作動レバーに軸支されてＹ軸方向に配置されるアーム部材と、前記ソレノイドの下方で前記アーム部材と前記作動レバーをＸ軸方向に連結する軸ピンと、前記氷搬出口を開閉するためにソレノイドが配置されたＹ軸方向でＸ軸方向に所定距離隔てられた位置の前記回動軸に固定されて装着される開閉扉と、前記開閉扉に閉方向の弾性復元力を付勢するために、前記ソレノイドの下方部分の回動軸に巻装配置される弾性部材とを含み、
前記ソレノイドが配置されたＹ軸線上からＸ軸方向の所定距離隔てられた位置に開閉扉が装着されて氷搬出口の開閉が行われるようにしたことを特徴とする。
【００１３】
また、上記ソレノイドの下部から直上方に浮かして水平に配置される固定軸が係止・解除されるように係止凹欠溝を一端に形成し、他端は作動レバーのように軸ピンに連結されて、該作動レバーの後退距離を制限するストッパーを更に備えていることが好適なものとなる（請求項２）。
又、上記プランジャロッドの両端に水平方向に両側に突出した接触ロールを形成し、この接触ロールのＹ軸方向往復動を案内するためにガイド縁部を両側に設けた固定部材を更に備えて、前記接触ロールがガイド縁部を介して往復接触するようにすることが好適なものとなる（請求項３）。
【００１４】
また、上記ソレノイド、作動レバー、回動軸、アーム部材、軸ピン、弾性部材からなる開閉構造の上方に異質物の落下を遮断するための第１の蓋部材を更に備えていることが好適なものとなる（請求項４）。
又、上記氷搬出口の位置に固定されて、開閉扉の直上方に支持板の締結ボルト等の分離落下を防止する第２の蓋部材を更に備えていることが好適なものとなる（請求項５）。
【発明の効果】
【００１５】
本発明の氷搬出口開閉装置は以上説明したように、氷搬出作動時において生じる機械的磨耗による微細な鉄粉、付属品の折れ欠け屑、合成樹脂部品の異質物が氷搬出口側から隔てられた位置に落下するようにしてなることで、氷搬出口側に落下することを防ぐことができる。
また、第１，第２の蓋部材によってカバーされていることで、前記各種の異質物、鉄粉等の落下をより一層確実に防ぐことができた上で、支持板固定用の締結ボルト等の氷搬出口側への離脱落下をも更に防ぐ効果が期待できる。
従って、本発明によれば、氷搬出口から搬出される氷に各種の異質物、鉄粉、そして締結ボルト等が含まれる問題点を改善してなることから、衛生上の安全性を図る氷搬出口開閉装置を提供することができる。
【発明を実施するための最良の形態】
【００１６】
本発明の最良の実施形態を図１〜図７に基づいて説明する。
【実施例１】
【００１７】
図１は、本発明の氷搬出口開閉装置の実施形態と氷搬出機に対する配置状態の一例を示す。
氷搬出口開閉装置は、貯氷筒100に支持板101を介して取り付け配置されるソレノイド110と、開閉扉120及びこの開閉扉120を作動させるために連結する後述の付属構造と、これらを覆うための第１の蓋部材200及び第２の蓋部材210とからなる。
【００１８】
貯氷筒100は、製氷機内で製氷される氷チップ１を保管貯えるための筒構造として配置され、下部の所定位置には利用者の選択ボタン操作により氷チップ１を供給するための氷搬出口102を形成してなり、該氷搬出口を開閉するための付属構造が取り付け配置される支持板101を外周において固定された状態では位置されるようにしている。
【００１９】
ソレノイド110は、上記氷搬出口102でＸ軸方向の右側（図１及び図２参照）又は左側（図７参照）に所定距離を水平に移動した直上方のＹ軸線上でプランジャロッド112を往復動させるように配置されるものである。
【００２０】
図２は、第１の蓋部材200と第２の蓋部材210とを取り外し分解して示す本発明の氷搬出口開閉装置の斜視図である。
支持板101に固定されるプランジャロッド112を有するソレノイド110と、プランジャロッドの両側を案内するためのガイド縁部132を備えると共に前記ソレノイドの下部の支持板101に固定される固定部材130と、前記支持板101の両側から延びた両側のレッグ142の間に亘り回動自在に軸支配置される回動軸140と、この回動軸140にアーム部材160を介して前記ソレノイドロッド112との間を連結する作動レバー150と、この作動レバー150の一端を前記アーム部材160に連結する軸ピン170と、この軸ピン170に連結されて前記作動レバー150の後退距離を制限するストッパー180と、前記回動軸140に巻装配置されて開閉扉120に閉方向の弾性復元力を付勢するための弾性部材190と、第１の蓋部材200及び第２の蓋部材210とからなる。
【００２１】
上記第１の蓋部材200は、Ｙ軸線上における開閉構造からの異質物の側面落下を遮断（防止）するためのもので、支持板101の所定位置に穿設されている係止孔105に掛かる係止片206を一側壁に形成し（図７参照）、反対側壁201には締着孔202を穿設して（図２参照）、支持板101の側壁103に穿設されたボルト孔104に締結ボルト204とワッシャ203により締結固定することによって、開閉扉120からＸ軸線上に所定距離隔てられた位置のＹ軸線上の開閉構造前部をカバーするようにしている。
【００２２】
また、第２の蓋部材210は、上記氷搬出口102の位置に回動軸140に固定支持されて開閉自在に配置される開閉扉120の直上方における支持板101の固定用締結ボルトａ等の分離（脱落）落下を防止するためめもので、外側壁211に締着孔203を穿設して（図７参照）、支持板101の側壁102に穿設されたボルト孔104に締結ボルト204とワッシャ203により締結固定して配置するようにしている。
【００２３】
図３は第１，第２の蓋部材200，210を除いた氷搬出口開閉装置の作動構造の分解斜視図で、図４は断面図である。
上記で詳述したように、氷搬出口102からＸ軸方向に所定距離水平に移動させて直上方のＹ軸線上に配置されたソレノイド110のソレノイドロッド112は、その先端両側に水平に貫通突出するように連結軸116を備え、該連結軸116の両端突出部に接触ロール111を回動自在に夫々備えると共に、この両側接触ロール111の内側にはその内側間に亘り連結軸116に嵌装された状態で接触筒115が介在され、この接触筒の外側には間隔維持筒114が介在されるようにしている。
【００２４】
上記接触ロール111がＹ軸線上において往復移動するようにＹ軸方向に案内するガイド縁部132を両側に形成した固定部材130は、ソレノイド110の下部位置（ソレノイドロッド112の前進位置）に固定配置されると共に、上記ストッパー180の後述の係止凹欠溝181が掛かるように固定軸131を備えている。
【００２５】
上記開閉扉120は、上記氷搬出口102を開閉するための適当サイズのゴム板123を内側に備えて、氷搬出口102を密着開閉し得るように形成されていると共に、両側には固定片121を形成して、この両側の固定片121に上記回動軸140が貫通固定されるように固定孔122を穿設している。
【００２６】
上記回動軸140は、上記ソレノイド110が位置するＹ軸下方で氷搬出口102が位置するＸ軸方向に水平に延びる長さを有し、支持板101の両側レッグ142間に亘り、該レッグ142に穿設された孔143に回動自在に軸支されるようにしている。
【００２７】
そして、この様にして支持板101の下部に配置される回動軸140における氷搬出口102から隔てられたＸ軸方向（一側のレッグ142側）に弾性部材190が巻回弾装されており、これによって、回動軸140は回動一方向（開閉扉120の閉方向）に弾性復元力が付与されるようにしている。
即ち、ソレノイドに電源が印加（通電）されることで、後退動する動きを成すソレノイドロッド112の動きによって開閉扉120を開方向に作動させるその動きに伴う回動軸140の回転（例えば時計方向の回転）が、電源の印加が解除されることで、開閉扉120を閉方向に作動させる回動軸140の回転（反時計方向の回転）に復元する弾性復元力が回動軸140に付与されるようにしている。
【００２８】
上記アーム部材160は、上記作動レバー150の軸孔152とストッパー180の後述する軸孔182に軸ピン170を介して連結される軸孔161が一端に穿設されており、他端には上記回動軸140に貫通固定される軸孔162を穿設して、回動軸140に、作動レバー150とストッパー180を挟む間隔をおいて併設配置されるようにしている。
即ち、図示のように、アーム部材160の軸孔161に貫通される軸ピン170には、ワッシャ173を挟むように作動レバー150の軸孔152とストッパー180の軸孔182が貫通軸支されるようにしている。
この様にして、両側のアーム部材160間に亘り配置される軸ピン170の突出両端はスナップリング172によって固定されるようにしている。
【００２９】
上記作動レバー150は、その一端に軸孔152を穿設すると共に、他端には孔形が長い長孔151を穿設している。
この作動レバー150は、長孔151を上記連結軸116に嵌挿させた接触筒115に遊動自在に貫通させると共に、該接触筒の外側に嵌挿される両側の間隔維持筒の位置させることによって、プランジャロッド112の先端略中央部に連結されるように成し、軸孔152は前記軸ピン170に軸支されてアーム部材160に連結されるようにしている。
【００３０】
従って、回動軸140に下端軸孔162が固定されたアーム部材160の上端軸孔161に軸ピン170によって回動自在に連結された作動レバー150に、プランジャロッド112の先端に備えられる連結軸116、その外側に嵌挿される接触筒115を介してプランジャロッド112の後退移動力が加えられることによって、アーム部材160を介して回動軸140に弾性部材190による弾性復元力に反する方向の回動力が伝わり、該回動軸140は開閉扉120が閉じ状態から開く方向に作動する所定角度にて回動される（図４及び図５の状態から図６の状態）。
そして、ソレノイド110への電源の印加が切られる所定角度まで回動軸140が回動され、プランジャロッド112が電源遮断によりフリー状態になった後、プランジャロッド112が前進限に戻るように回動軸14は弾性部材190によって回動復元される。
【００３１】
上記ストッパー180は、固定軸131が係止・解除されるように、該固定軸131に連結させる係止凹欠溝181を一端側に形成し、他端には軸ピン170に軸支されてアーム部材160に連結される軸孔182を穿設して、回動軸140の回動に伴うアーム部材160の反復回動によって、係止凹欠溝181が固定軸131に対して掛かったり、外れたりする反復作動の繰り返しにより、作動レバー150の後退距離が制限されるようにしている。つまり、プランジャロッド112の前進距離を制限するようにしている。
【００３２】
図４及び図５は、氷搬出口102が密着閉鎖された状態であり、図６は、氷搬出口102が開放された状態である。
次に、以上の如く構成された本例の開閉装置の開閉作用について説明する。
図４及び図５に示すように、プランジャロッド112が前進状態ではストッパー180の係止凹欠溝181によりプランジャロッド112の前進が制限され、作動レバー150の長孔151の下方に位置するようになり、開閉扉120は回動軸140に付与されている弾性復元力（反発力）によって氷搬出口102を密着閉鎖する状態になる。
【００３３】
そして、利用者の選択ボタン操作によりソレノイド110に電源が印加され、プランジャロッド112が後退移動するようになると、図６に示すようにストッパー180が固定軸131に対する係止凹欠溝181の移動により、作動レバー150の長孔151は連結軸116との係止位置を変えるように作動レバー150は軸ピン170を軸点（支点）に回動する。これにより、アーム部材160は回動軸140を軸点にして角度αだけ回動することによって（図４の実線から二点鎖線の状態）、開閉扉120は氷搬出口102を開放する。
【実施例２】
【００３４】
図７は、本発明氷搬出口開閉装置の他の実施形態を示し、斯かる実施例２ではソレノイド110、作動レバー150、回動軸140、アーム部材160、軸ピン170、弾性部材190からなる開閉構造を氷搬出口102のＸ軸方向左側に所定距離水平移動させた状態を示す。
斯かる実施例２では開閉構造を左側に変更したにすぎなく、それ以外の構成においては図１〜図６と基本的に同じことから、同じ構成部分に実施例１と同じ符号を用いることで重複説明は省略する。
【００３５】
以上のように構成されて本発明の氷搬出口開閉装置は図１〜図６或いは図７において示したように、ソレノイド110による開閉扉120の開閉作動のための開閉構造はＸ軸方向に氷搬出口102から隔てられた所定位置に配置されていることで、開閉構造らの作動による接触の際の色々な合成樹脂異質物、老杤付属品の折れ欠け屑、機械的磨耗による微細な鉄粉等が生じても、氷搬出口102側に落下するようなことは無い。
また、第１，第２の蓋部材200，210によってカバーされていることで、前記各種の異質物、鉄粉等の落下を確実に防ぐことができ、他に、支持板101固定用の締結ボルトａ等が離脱落下した場合にも氷搬出口102側に落下するようなことは無い。
【００３６】
又、本発明の具体的な実施例にあっては、前述の実施例１〜２構成に限定されるものではなく、請求項１〜５記載の要旨を免脱しない範囲で種々変更して行うことができるものである。
【図面の簡単な説明】
【００３７】
【図１】本発明氷搬出口開閉装置の氷搬出機に対する配置状態を示す正面図
【図２】第１の蓋部材と第２の蓋部材とを取り外し分解して示す本発明氷搬出口開閉装置の斜視図
【図３】第１，第２の蓋部材を除いた本発明氷搬出口開閉装置の作動構造の分解斜視図
【図４】氷搬出口を閉鎖した状態の本発明氷搬出口開閉装置の断面図
【図５】同断面図
【図６】氷搬出口を開放した状態の同断面図
【図７】第１の蓋部材と第２の蓋部材とを取り外し分解して示す本発明氷搬出口開閉装置の他の実施例を示す斜視図
【図８】従来の氷搬出機を概略的に示す平面図
【図９】同正面図
【図１０】他の従来例を示す正面図
【符号の説明】
【００３８】
100：貯氷筒            101：支持板
102：氷搬出口          105：係止孔
110：ソレノイド        111：接触ロール
112：ソレノイドロッド  116：連結軸
120：開閉扉            130：固定部材
131：固定軸            132：ガイド縁部
140：回動軸            150：作動レバー
151：長孔              152：軸孔
160：アーム部材        170：軸ピン
180：ストッパー        181：係止凹欠溝
190：弾性部材          200：第１の蓋部材
210：第２の蓋部材
【図１】
2006057983.tif 000003
【図２】
2006057983.tif 000004
【図３】
2006057983.tif 000005
【図４】
2006057983.tif 000006
【図５】
2006057983.tif 000007
【図６】
2006057983.tif 000008
【図７】
2006057983.tif 000009
【図８】
2006057983.tif 000010
【図９】
2006057983.tif 000011
【図１０】
2006057983.tif 000012